(57)【要約】【課題】  電子メールアドレスや電話番号を秘匿しかつ意図しない第三者からの電子メールや電話を防止する。【解決手段】  利用者端末２が利用者をサーバ１に通知し、サーバ１が、通知された利用者が複数の通信方法（電子メールと音声通話）の中のいずれかの通信方法と通信相手とを指定して予め求めた通信依頼を許可したことで受信可能となった受信可能者と当該受信可能者を当該通信時に特定する電子メールアドレスや携帯電話番号を利用者端末２に通知し、利用者端末２がサーバ１から通知された電子メールアドレスや携帯電話番号を表示しないで受信可能者を示す情報を表示させ、利用者端末２が表示された受信可能者の情報を指定する操作がなされたときに電子メールアドレスや携帯電話番号を用いて発信する。【選択図】図１
2005078513.tif 000002
【特許請求の範囲】
【請求項１】
コンピュータであるサーバに接続されかつ利用者に視認される情報を表示する表示手段と当該利用者に操作される入力手段とを備える利用者端末であって、
前記利用者を前記サーバに通知し、該通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とが前記サーバから通知されたときに前記受信可能者通信時特定情報を表示しないで前記受信可能者を示す情報を前記表示手段に表示させる手段と、
前記表示された受信可能者の情報を指定する操作が前記入力手段になされたときに前記通信許可者特定情報を用いて発信する手段と
を備える利用者端末。
【請求項２】
前記複数の通信方法を前記表示手段に表示させ、該表示されたいずれかの通信方法と通信相手とを指定する操作が前記入力手段になされたときに当該指定された通信方法と通信相手とを前記サーバに通知することを通信依頼として行う請求項１記載の利用者端末。
【請求項３】
前記利用者を前記サーバに通知し、該通知された利用者を通信相手としてかつ複数の通信方法の中のいずれかの通信方法を指定して予め通信依頼を行った通信依頼者が前記サーバから通知されたときに当該通信依頼者を示す情報を前記表示手段に表示させ、該表示された情報を指定する操作が前記入力手段になされたときに当該通信依頼者を前記サーバに通知することを通信許可として行う請求項１または２記載の利用者端末。
【請求項４】
前記利用者を前記サーバに通知し、該通知された利用者を通信相手としてかつ複数の通信方法の中のいずれかの通信方法を指定して予め通信依頼を行い当該利用者が許可したことにより発信可能となった発信可能者が前記サーバから通知されたときに当該発信可能者を示す情報を前記表示手段に表示させ、該表示された情報を指定する操作が前記入力手段になされたときに当該発信可能者を前記サーバに通知することを通信許可の取消として行う請求項１ないし３のいずれかに記載の利用者端末。
【請求項５】
コンピュータであるサーバに接続されかつ利用者に視認される情報を表示する表示手段と当該利用者に操作される入力手段とを備える利用者端末が、前記利用者を前記サーバに通知し、該通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とが前記サーバから通知されたときに前記受信可能者通信時特定情報を表示しないで前記受信可能者を示す情報を前記表示手段に表示させる手段と、  前記表示された情報を指定する操作が前記入力手段になされたときに前記通信許可者特定情報を用いて発信する手段とを備えるときに前記サーバとして用いられ、前記受信可能者と受信可能者通信時特定情報とを管理する管理手段を備え、前記利用者端末からの要求により前記管理手段で管理された受信可能者と受信可能者通信時特定情報とを通知する通信管理装置。
【請求項６】
前記利用者端末が、前記複数の通信方法を前記表示手段に表示させ、該表示されたいずれかの通信方法と通信相手とを指定する操作が前記入力手段になされたときに当該指定された通信方法及び通信相手を前記サーバに通知することを通信依頼として行うときに、前記利用者端末の利用者を通信依頼者として前記管理手段で管理し、前記通知された通信相手からの要求により当該管理された通信依頼者を通知する請求項５記載の通信管理装置。
【請求項７】
前記利用者端末が、前記利用者を前記サーバに通知し、該通知された利用者を通信相手としてかつ複数の通信方法の中のいずれかの通信方法を指定して予め通信依頼を行い当該利用者が通信依頼を許可したことにより発信可能となった発信可能者が前記サーバから通知されたときに当該発信可能者を示す情報を前記表示手段に表示させ、該表示された情報を指定する操作が前記入力手段になされたときに当該発信可能者を前記サーバに通知することを通信許可の取消として行うときに、当該通知された発信可能者を前記管理手段において発信可能者としてででなく管理する請求項５または６記載の通信管理装置。
【請求項８】
コンピュータであるサーバと該サーバに接続されかつ利用者に視認される情報を表示する表示手段と当該利用者に操作される入力手段とを備える利用者端末との間で行われる通信方法であって、
前記利用者端末が前記利用者を前記サーバに通知し、
前記サーバが前記通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを前記利用者端末に通知し、
前記利用者端末が前記サーバから通知された受信可能者通信時特定情報を表示しないで前記受信可能者を示す情報を前記表示手段に表示させ、
前記利用者端末が前記表示された受信可能者の情報を指定する操作が前記入力手段になされたときに前記通信許可者特定情報を用いて発信する通信方法。
【請求項９】
コンピュータであるサーバと該サーバに接続されかつ利用者に視認される情報を表示する表示手段と当該利用者に操作される入力手段とを備える利用者端末との間で、前記利用者端末が前記利用者を前記サーバに通知し、前記サーバが前記通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを前記利用者端末に通知し、前記利用者端末が前記サーバから通知されたときに前記受信可能者通信時特定情報を表示しないで前記受信可能者を示す情報を前記表示手段に表示させ、前記利用者端末が前記表示された受信可能者の情報を指定する操作が前記入力手段になされたときに前記通信許可者特定情報を用いて発信する通信方法が行われるときの通信管理方法であって、
前記利用者端末が前記複数の通信方法を前記表示手段に表示させ、該表示されたいずれかの通信方法と通信相手とを指定する操作が前記入力手段になされたときに当該指定された通信方法と通信相手とを前記サーバに通知することを通信依頼として行い、
前記サーバが前記利用者端末の利用者を通信依頼者として管理し、前記通知された通信相手からの要求により当該管理された通信依頼者を通知する通信管理方法。
【請求項１０】
コンピュータであるサーバと該サーバに接続されかつ利用者に視認される情報を表示する表示手段と当該利用者に操作される入力手段とを備える利用者端末との間で、前記利用者端末が前記利用者を前記サーバに通知し、前記サーバが前記通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを前記利用者端末に通知し、前記利用者端末が前記サーバから通知されたときに前記受信可能者通信時特定情報を表示しないで前記受信可能者を示す情報を前記表示手段に表示させ、前記利用者端末が前記表示された受信可能者の情報を指定する操作が前記入力手段になされたときに前記通信許可者特定情報を用いて発信する通信方法が行われるときの通信管理方法であって、
前記利用者端末が前記利用者を前記サーバに通知し、
前記サーバが前記通知された利用者を通信相手としてかつ複数の通信方法の中のいずれかの通信方法を指定して予め通信依頼を行った通信依頼者を前記利用者端末に通知し、
前記利用者端末が前記サーバから通知された通信依頼者を示す情報を前記表示手段に表示させ、該表示された情報を指定する操作が前記入力手段になされたときに当該通信依頼者を前記サーバに通知することを通信許可として行う通信管理方法。
【請求項１１】
コンピュータであるサーバと該サーバに接続されかつ利用者に視認される情報を表示する表示手段と当該利用者に操作される入力手段とを備える利用者端末との間で、前記利用者端末が前記利用者を前記サーバに通知し、前記サーバが前記通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを前記利用者端末に通知し、前記利用者端末が前記サーバから通知されたときに前記受信可能者通信時特定情報を表示しないで前記受信可能者を示す情報を前記表示手段に表示させ、前記利用者端末が前記表示された受信可能者の情報を指定する操作が前記入力手段になされたときに前記通信許可者特定情報を用いて発信する通信方法が行われるときの通信管理方法であって、
前記利用者端末が前記利用者を前記サーバに通知し、
前記サーバが前記通知された利用者を通信相手としてかつ複数の通信方法の中のいずれかの通信方法を指定して予め通信依頼を行い当該利用者が許可したことにより発信可能となった発信可能者を前記利用者端末に通知し、
前記利用者端末が前記サーバから通知された発信可能者を示す情報を前記表示手段に表示させ、該表示された情報を指定する操作が前記入力手段になされたときに当該発信可能者を前記サーバに通知することを通信許可の取消として行い、  前記サーバが前記通知された発信可能者を発信可能者としてででなく管理する通信管理方法。
【請求項１２】
請求項１ないし４記載の利用者端末としてコンピュータを機能させるコンピュータプログラム。
【請求項１３】
請求項１ないし４記載の利用者端末としてコンピュータを機能させるコンピュータプログラムが格納されたコンピュータ読み取り可能な記録媒体。
【発明の詳細な説明】
【技術分野】
【０００１】
本発明は、電子メールアドレスや電話番号を秘匿しかつ意図しない第三者からの電子メールや電話を防止するのに適した通信において利用者に利用される利用者端末、該利用者端末とともに利用される通信管理装置、当該通信方法に関するものである。
【背景技術】
【０００２】
従来においては、電子メールアドレスを所有する利用者に仮想の電子メールアドレスを設定し、それを知らされた送信者から送信された当該仮想の電子メールアドレス宛の電子メールを本来の電子メールアドレスに転送することで利用者の匿名性を確保する技術がある。また、この技術においては、本来の電子メールアドレスが複数ある場合にそのいずれかに転送するようになっており、そのそれぞれに受信可否を設定できる。下記の特許文献１に、このような技術が記載されている。
【特許文献１】特開平９−３２１７９１号公報
【発明の開示】
【発明が解決しようとする課題】
【０００３】
上記のように従来の技術では、仮想の電子メールアドレスにより本来の電子メールアドレスを秘匿することができ、しかも電子メールアドレス単位で受信可否を設定できたが、この仮想の電子メールアドレスを知りうる者なら誰でもこの電子メールアドレス宛に送信できるので、意図しない第三者からの迷惑メールが本来の電子メールアドレスで受信されてしまう。なお、本来の電子メールアドレスに受信拒否を設定すれば迷惑メールは回避できるが、その場合には、友人や家族などからの電子メールが受信できなくなる。なお、携帯電話などによる通信においてもこの技術を適用できるが同様の不都合がある。
【０００４】
そこで本発明は、上記の従来の課題に鑑みてなされたものであり、その目的とは、電子メールアドレスや電話番号を秘匿しかつ意図しない第三者からの電子メールや電話を防止するのに適した通信において利用者に利用される利用者端末、該利用者端末とともに利用される通信管理装置、当該通信方法を提供することにある。
【課題を解決するための手段】
【０００５】
上記従来の課題を解決するために、請求項１の本発明は、コンピュータであるサーバに接続されかつ利用者に視認される情報を表示する表示手段と当該利用者に操作される入力手段とを備える利用者端末であって、前記利用者を前記サーバに通知し、該通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とが前記サーバから通知されたときに前記受信可能者通信時特定情報を表示しないで前記受信可能者を示す情報を前記表示手段に表示させる手段と、前記表示された受信可能者の情報を指定する操作が前記入力手段になされたときに前記通信許可者特定情報を用いて発信する手段とを備える利用者端末をもって解決手段とする。
【０００６】
本発明によれば、利用者をサーバに通知し、該通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とがサーバから通知されたときに受信可能者通信時特定情報を表示しないで受信可能者を示す情報を表示手段に表示させる手段と、表示された受信可能者の情報を指定する操作が入力手段になされたときに通信許可者特定情報を用いて発信する手段とを備えるので、指定された通信方法でしかも通信許可者特定情報（電子メールアドレスや電話番号など）を秘匿したまま通信を行うことができる。したがって利用者の匿名性が確保できる。また、通信依頼を許可したことで受信可能になった受信可能者の情報が表示されるので、迷惑電話の着信や迷惑メールの受信を防止できる。
【０００７】
請求項２の本発明は、前記複数の通信方法を前記表示手段に表示させ、該表示されたいずれかの通信方法と通信相手とを指定する操作が前記入力手段になされたときに当該指定された通信方法と通信相手とを前記サーバに通知することを通信依頼として行う請求項１記載の利用者端末をもって解決手段とする。
【０００８】
本発明によれば、複数の通信方法を表示手段に表示させ、該表示されたいずれかの通信方法と通信相手とを指定する操作が入力手段になされたときに当該指定された通信方法と通信相手とをサーバに通知することを通信依頼として行うので、当該通信依頼を許可したことで受信可能となった受信可能者と受信可能者通信時特定情報とをサーバが当該利用者端末に通知することができるようになり、その結果、指定された通信方法でしかも電子メールアドレスや電話番号などを秘匿したまま通信を行うことができるようになる。
【０００９】
請求項３の本発明は、前記利用者を前記サーバに通知し、該通知された利用者を通信相手としてかつ複数の通信方法の中のいずれかの通信方法を指定して予め通信依頼を行った通信依頼者が前記サーバから通知されたときに当該通信依頼者を示す情報を前記表示手段に表示させ、該表示された情報を指定する操作が前記入力手段になされたときに当該通信依頼者を前記サーバに通知することを通信許可として行う請求項１または２記載の利用者端末をもって解決手段とする。
【００１０】
本発明によれば、利用者をサーバに通知し、該通知された利用者を通信相手としてかつ複数の通信方法の中のいずれかの通信方法を指定して予め通信依頼を行った通信依頼者がサーバから通知されたときに当該通信依頼者を示す情報を表示手段に表示させ、該表示された情報を指定する操作が入力手段になされたときに当該通信依頼者をサーバに通知することを通信許可として行うので、サーバは当該通信依頼者を通信相手に通知することができる。
【００１１】
請求項４の本発明は、前記利用者を前記サーバに通知し、該通知された利用者を通信相手としてかつ複数の通信方法の中のいずれかの通信方法を指定して予め通信依頼を行い当該利用者が許可したことにより発信可能となった発信可能者が前記サーバから通知されたときに当該発信可能者を示す情報を前記表示手段に表示させ、該表示された情報を指定する操作が前記入力手段になされたときに当該発信可能者を前記サーバに通知することを通信許可の取消として行う請求項１ないし３のいずれかに記載の利用者端末をもって解決手段とする。
【００１２】
本発明によれば、利用者をサーバに通知し、該通知された利用者を通信相手としてかつ複数の通信方法の中のいずれかの通信方法を指定して予め通信依頼を行い当該利用者が許可したことにより発信可能となった発信可能者がサーバから通知されたときに当該発信可能者を示す情報を表示手段に表示させ、該表示された情報を指定する操作が入力手段になされたときに当該発信可能者をサーバに通知することを通信許可の取消として行うので、サーバにおいて当該発信可能者を発信可能者としてでなく管理することができる。
【００１３】
請求項５の本発明は、コンピュータであるサーバに接続されかつ利用者に視認される情報を表示する表示手段と当該利用者に操作される入力手段とを備える利用者端末が、前記利用者を前記サーバに通知し、該通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とが前記サーバから通知されたときに前記受信可能者通信時特定情報を表示しないで前記受信可能者を示す情報を前記表示手段に表示させる手段と、前記表示された情報を指定する操作が前記入力手段になされたときに前記通信許可者特定情報を用いて発信する手段とを備えるときに前記サーバとして用いられ、前記受信可能者と受信可能者通信時特定情報とを管理する管理手段を備え、前記利用者端末からの要求により前記管理手段で管理された受信可能者と受信可能者通信時特定情報とを通知する通信管理装置をもって解決手段とする。
【００１４】
本発明によれば、受信可能者と受信可能者通信時特定情報とを管理する管理手段を備え、利用者端末からの要求により管理手段で管理された受信可能者と受信可能者通信時特定情報とを通知するので、利用者端末は受信可能者通信時特定情報を表示しないで受信可能者を示す情報を表示手段に表示させ、表示された受信可能者の情報を指定する操作がなされたときに通信許可者特定情報を用いて発信することができる。
【００１５】
請求項６の本発明は、前記利用者端末が、前記複数の通信方法を前記表示手段に表示させ、該表示されたいずれかの通信方法と通信相手とを指定する操作が前記入力手段になされたときに当該指定された通信方法及び通信相手を前記サーバに通知することを通信依頼として行うときに、前記利用者端末の利用者を通信依頼者として前記管理手段で管理し、前記通知された通信相手からの要求により当該管理された通信依頼者を通知する請求項５記載の通信管理装置をもって解決手段とする。
【００１６】
本発明によれば、利用者端末の利用者を通信依頼者として管理手段で管理し、通知された通信相手からの要求により当該管理された通信依頼者を通知するので、当該通信相手は通信許可を行うことができる。
【００１７】
請求項７の本発明は、前記利用者端末が、前記利用者を前記サーバに通知し、該通知された利用者を通信相手としてかつ複数の通信方法の中のいずれかの通信方法を指定して予め通信依頼を行い当該利用者が通信依頼を許可したことにより発信可能となった発信可能者が前記サーバから通知されたときに当該発信可能者を示す情報を前記表示手段に表示させ、該表示された情報を指定する操作が前記入力手段になされたときに当該発信可能者を前記サーバに通知することを通信許可の取消として行うときに、当該通知された発信可能者を前記管理手段において発信可能者としてででなく管理する請求項５または６記載の通信管理装置をもって解決手段とする。
【００１８】
本発明によれば、通知された発信可能者を管理手段において発信可能者としてででなく管理するので、当該発信可能者からの通信を再び拒否することができる。
【００１９】
請求項８の本発明は、コンピュータであるサーバと該サーバに接続されかつ利用者に視認される情報を表示する表示手段と当該利用者に操作される入力手段とを備える利用者端末との間で行われる通信方法であって、前記利用者端末が前記利用者を前記サーバに通知し、前記サーバが前記通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを前記利用者端末に通知し、前記利用者端末が前記サーバから通知された受信可能者通信時特定情報を表示しないで前記受信可能者を示す情報を前記表示手段に表示させ、前記利用者端末が前記表示された受信可能者の情報を指定する操作が前記入力手段になされたときに前記通信許可者特定情報を用いて発信する通信方法をもって解決手段とする。
【００２０】
本発明によれば、利用者端末が利用者をサーバに通知し、サーバが、通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを利用者端末に通知し、利用者端末がサーバから通知された受信可能者通信時特定情報を表示しないで受信可能者を示す情報を表示手段に表示させ、利用者端末が表示された受信可能者の情報を指定する操作が入力手段になされたときに通信許可者特定情報を用いて発信するので、指定された通信方法でしかも電子メールアドレスや電話番号などを秘匿したまま通信を行うことができる。したがって利用者の匿名性が確保できる。また、通信依頼を許可したことで受信可能になった受信可能者の情報が表示され電子メールアドレスや電話番号などが表示されないので、迷惑電話の着信や迷惑メールの受信を防止できる。
【００２１】
請求項９の本発明は、コンピュータであるサーバと該サーバに接続されかつ利用者に視認される情報を表示する表示手段と当該利用者に操作される入力手段とを備える利用者端末との間で、前記利用者端末が前記利用者を前記サーバに通知し、前記サーバが前記通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを前記利用者端末に通知し、前記利用者端末が前記サーバから通知されたときに前記受信可能者通信時特定情報を表示しないで前記受信可能者を示す情報を前記表示手段に表示させ、前記利用者端末が前記表示された受信可能者の情報を指定する操作が前記入力手段になされたときに前記通信許可者特定情報を用いて発信する通信方法が行われるときの通信管理方法であって、前記利用者端末が前記複数の通信方法を前記表示手段に表示させ、該表示されたいずれかの通信方法と通信相手とを指定する操作が前記入力手段になされたときに当該指定された通信方法と通信相手とを前記サーバに通知することを通信依頼として行い、前記サーバが前記利用者端末の利用者を通信依頼者として管理し、前記通知された通信相手からの要求により当該管理された通信依頼者を通知する通信管理方法をもって解決手段とする。
【００２２】
本発明によれば、利用者端末が複数の通信方法を表示手段に表示させ、該表示されたいずれかの通信方法と通信相手とを指定する操作が入力手段になされたときに当該指定された通信方法と通信相手とをサーバに通知することを通信依頼として行い、サーバが利用者端末の利用者を通信依頼者として管理し、通知された通信相手からの要求により当該管理された通信依頼者を通知するので、当該通信相手は通信許可を行うことができる。
【００２３】
請求項１０の本発明は、コンピュータであるサーバと該サーバに接続されかつ利用者に視認される情報を表示する表示手段と当該利用者に操作される入力手段とを備える利用者端末との間で、前記利用者端末が前記利用者を前記サーバに通知し、前記サーバが前記通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを前記利用者端末に通知し、前記利用者端末が前記サーバから通知されたときに前記受信可能者通信時特定情報を表示しないで前記受信可能者を示す情報を前記表示手段に表示させ、前記利用者端末が前記表示された受信可能者の情報を指定する操作が前記入力手段になされたときに前記通信許可者特定情報を用いて発信する通信方法が行われるときの通信管理方法であって、前記利用者端末が前記利用者を前記サーバに通知し、前記サーバが前記通知された利用者を通信相手としてかつ複数の通信方法の中のいずれかの通信方法を指定して予め通信依頼を行った通信依頼者を前記利用者端末に通知し、前記利用者端末が前記サーバから通知された通信依頼者を示す情報を前記表示手段に表示させ、該表示された情報を指定する操作が前記入力手段になされたときに当該通信依頼者を前記サーバに通知することを通信許可として行う通信管理方法をもって解決手段とする。  本発明によれば、利用者端末が利用者をサーバに通知し、サーバが、通知された利用者を通信相手としてかつ複数の通信方法の中のいずれかの通信方法を指定して予め通信依頼を行った通信依頼者を利用者端末に通知し、利用者端末がサーバから通知された通信依頼者を示す情報を表示手段に表示させ、該表示された情報を指定する操作が入力手段になされたときに当該通信依頼者をサーバに通知することを通信許可として行うので、サーバは当該通信依頼者を通信相手に通知することができる。
【００２４】
請求項１１の本発明は、コンピュータであるサーバと該サーバに接続されかつ利用者に視認される情報を表示する表示手段と当該利用者に操作される入力手段とを備える利用者端末との間で、前記利用者端末が前記利用者を前記サーバに通知し、前記サーバが前記通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報とを前記利用者端末に通知し、前記利用者端末が前記サーバから通知されたときに前記受信可能者通信時特定情報を表示しないで前記受信可能者を示す情報を前記表示手段に表示させ、前記利用者端末が前記表示された受信可能者の情報を指定する操作が前記入力手段になされたときに前記通信許可者特定情報を用いて発信する通信方法が行われるときの通信管理方法であって、前記利用者端末が前記利用者を前記サーバに通知し、前記サーバが前記通知された利用者を通信相手としてかつ複数の通信方法の中のいずれかの通信方法を指定して予め通信依頼を行い当該利用者が許可したことにより発信可能となった発信可能者を前記利用者端末に通知し、前記利用者端末が前記サーバから通知された発信可能者を示す情報を前記表示手段に表示させ、該表示された情報を指定する操作が前記入力手段になされたときに当該発信可能者を前記サーバに通知することを通信許可の取消として行い、前記サーバが前記通知された発信可能者を発信可能者としてででなく管理する通信管理方法をもって解決手段とする。
【００２５】
本発明によれば、利用者端末が利用者をサーバに通知し、サーバが、通知された利用者を通信相手としてかつ複数の通信方法の中のいずれかの通信方法を指定して予め通信依頼を行い当該利用者が許可したことにより発信可能となった発信可能者を利用者端末に通知し、利用者端末がサーバから通知された発信可能者を示す情報を表示手段に表示させ、該表示された情報を指定する操作が入力手段になされたときに当該発信可能者をサーバに通知することを通信許可の取消として行い、サーバが通知された発信可能者を発信可能者としてででなく管理するので、当該発信可能者からの通信を再び拒否することができる。
【００２６】
請求項１２の本発明は、請求項１ないし４記載の利用者端末としてコンピュータを機能させるコンピュータプログラムをもって解決手段とする。
【００２７】
本発明によれば、利用者端末としてコンピュータを機能させるコンピュータプログラムにより流通性を高めることができる。
【００２８】
請求項１３の本発明は、請求項１ないし４記載の利用者端末としてコンピュータを機能させるコンピュータプログラムが格納されたコンピュータ読み取り可能な記録媒体をもって解決手段とする。
【００２９】
本発明によれば、利用者端末としてコンピュータを機能させるコンピュータプログラムを記録媒体に記録することにより流通性を高めることができる。
【発明の効果】
【００３０】
本発明によれば、利用者端末が利用者をサーバに通知し、サーバが、通知された利用者が複数の通信方法の中のいずれかの通信方法と通信相手とを指定して予め求めた通信依頼を許可したことで受信可能となった受信可能者と当該受信可能者を当該通信時に特定する電子メールアドレスや携帯電話番号を利用者端末に通知し、利用者端末がサーバから通知された電子メールアドレスや携帯電話番号をを表示しないで受信可能者を示す情報を表示手段に表示させ、利用者端末が表示された受信可能者の情報を指定する操作が入力手段になされたときに電子メールアドレスや携帯電話番号を用いて発信するので、指定された通信方法でしかも電子メールアドレスや電話番号などを秘匿したまま通信を行うことができる。したがって利用者の匿名性が確保できる。また、通信依頼を許可したことで受信可能になった受信可能者の情報が表示されるので、迷惑電話の着信や迷惑メールの受信を防止できる。
【発明を実施するための最良の形態】
【００３１】
以下、本発明の実施の形態を図面を参照して説明する。
【００３２】
図１は、本発明が実施されるネットワークシステムの構成を示す図である。
【００３３】
サーバ１は、複数の利用者端末２に対し、複数の無線基地局３を介して接続されているコンピュータ（通信管理装置）である。各利用者端末２は利用者それぞれに携行される携帯電話端末（無線端末）であり、無線基地局３のいずれかに接続される。なお、オフィスや家庭などに設けられたコンピュータを利用者端末２とし、サーバ１と利用者端末２とをインターネット等に有線で接続することで相互通信可能としてもよい。
【００３４】
本実施の形態では、ある利用者端末２を発信側の利用者端末２として該利用者端末２で発信することにより着信側の利用者端末２との間で音声通話を行うことと、発信側の利用者端末２から電子メールを送信して相手の利用者端末２が電子メールを自動受信することの２つを「通信」と総称する。
【００３５】
また、図１のシステムはビジネスにおける利用に適するように考慮されている。そのビジネスの世界では個人の情報が名刺に記載されるので、当該システムでの処理では、利用者についての情報が名刺情報（利用者にとっては見かけ上で名刺）として扱われる。
【００３６】
図２は、サーバ１の構成を示す図である。
【００３７】
サーバ１は、利用者端末２から送信される名刺情報をサーバ１内に記憶させる（登録する）名刺情報登録部１０１と、複数の名刺情報を一覧するのに適した名刺一覧情報を作成する名刺一覧作成部１０２と、音声通話という通信方法における着信や電子メールという通信方法における受信を求める（通信依頼という）利用者（通信依頼者という）の名刺情報を一覧するのに適した通信許可依頼者名刺一覧情報を作成する通信許可依頼者名刺一覧作成部１０３と、通信依頼に対する許可（通信許可）がなされて音声通話の発信や電子メールの送信が可能となった利用者（発信可能者という）の名刺情報を当該通信許可した利用者（受信可能者という）が一覧するのに適した発信可能者名刺一覧情報を生成する発信可能者名刺一覧作成部１０４と、通信依頼者の利用者端末２から通信依頼に拘わる情報を受信する通信許可依頼受付部１０５と、通信許可に拘わる情報を受信可能者となる利用者の利用者端末２から受信する通信許可受付部１０６と、通信依頼により発信可能者となった利用者が当該発信可能者に対する受信可能者の名刺情報を一覧するのに適した受信可能者一覧名刺情報を作成する受信可能者名刺一覧作成部１０７と、通信許可を取り消すための情報処理を行う通信許可取消部１０８と、利用者端末２から送信された電子メールを相手の利用者端末２に送信するメールサーバ機能部１０９と、発信側の利用者端末２着信側の利用者端末２との間で音声通話を行わせる電話交換機能部１１０と、各利用者の名刺情報が記憶される名刺管理テーブル１１１と、各利用者端末２についてかつ相手の利用者端末２ごとにかつ通信方法ごとに通信可否が設定されるアクセス制御管理テーブル１１２と、発信可能者の利用者端末２から送信された電子メールが保存されるメール保存装置１１３と、無線基地局３との間で所定の通信プロトコルにより通信することにより音声通話と電子メールの送受信を可能とする通信装置１１４とを備える。なお、メール保存装置１１３は、該装置に保存される電子メールにおいて宛先とされた電子メールアドレス毎のメールボックスを備えている。
【００３８】
図３（ａ）は、名刺管理テーブル１１１を示す図である。
【００３９】
利用者を示す識別情報である名刺ＩＤ、当該利用者の利用者ハンドル名、当該利用者の利用者端末２に割り当てられた携帯電話番号及び電子メールアドレス、自己紹介文などの公開情報を含む横１行を名刺情報として、該名刺情報を利用者毎に記憶する。本実施の形態の名刺ＩＤは、該名刺ＩＤを割り当てられた利用者を他の利用者と区別するものであるから、他の利用者の名刺ＩＤと重複しない、すなわち固有（一意に示す）のものである。
【００４０】
図３（ｂ）は、アクセス制御管理テーブル１１２を示す図である。
【００４１】
１つの発信側の利用者端末から１つの着信側の利用者端末への音声通話による通信についての通信可否またはそれまでの経過を示す音声通話ステータスと、当該発信側の利用者端末から当該着信側の利用者端末への電子メールによる通信についての通信可否またはそれまでの経過を示す電子メールステータスと、当該発信側の利用者端末を利用する利用者の名刺ＩＤである発信者名刺ＩＤと、当該着信側の利用者端末を利用する利用者の名刺ＩＤである着信者名刺ＩＤとを含むアクセス制御情報を発着の組み合わせごとに記憶する記憶領域である。
【００４２】
なお、名刺管理テーブル１１１とアクセス制御管理テーブル１１２とにより本発明の管理手段が構成される。
【００４３】
図３（ｃ）は、アクセス制御管理テーブル１１２における各ステータスの遷移を示す図である。
【００４４】
例えば音声通話ステータスは、利用者端末２が利用者に購入されたときなどの初期状態では未設定になっており、利用者が通信依頼を行うことにより通信許可依頼中になる。音声通話ステータスが通信依頼中のときに通信許可がされると当該音声通話ステータスは通信可能となり、一方、通信許可がされないと通信不可になる。なお、音声通話ステータスが通信可能のときに通信許可取消がなされると当該音声通話ステータスは通信不可になる。電子メールステータスも同様である。
【００４５】
なお、アクセス制御管理テーブル１１２にあっては、音声通話と電子メール送信のいずれかについて少なくとも通信依頼がなされた発着の組み合わせについてアクセス制御情報が記憶されるので記憶容量を節約できる。
【００４６】
また、音声通話ステータスが通信可能なときの携帯電話番号と、電子メールステータスが通信可能なときの電子メールアドレスは、それぞれの通信方法で通信する時に通信相手を特定するものであるから、本発明の受信可能者通信時特定情報に相当する。なお、本実施の形態の携帯電話番号や固定電話（加入者電話）の電話番号のように、直接的には通信機器や通信回線を示すものであっても、結局は利用者と通信するものであるから受信可能者通信時特定情報である。
【００４７】
図４は、利用者端末２の構成を示す図である。
【００４８】
利用者端末２は、当該利用者端末２を構成する各部の情報や名刺情報などを表示する表示装置２０１（表示手段）と、当該利用者端末２の各部の処理に必要な選択入力や文字入力等を受け付け、その情報を該当する各部に送信する入力装置２０２（入力手段）と、当該利用者端末２の利用者が電話機能を使用している時の音声入力を受け付けるマイク２０３と、当該利用者端末２の利用者が電話機能を使用している時の相手の音声を出力するスピーカ２０４とを備える。
【００４９】
また、利用者端末２は、該利用者端末２の入力装置２０２に所定の操作がなされたときに表示装置２０１に複数の選択項目を含むメニューを表示させるメニュー表示部２０５と、名刺情報を作成する名刺作成部２０６と、サーバ１から送信された名刺一覧情報を表示装置２０１に表示させる名刺一覧表示部２０７と、サーバ１から送信された通信許可依頼者名刺一覧情報を表示装置２０１に表示させる通信許可依頼者名刺一覧表示部２０８と、サーバ１から送信された発信可能者名刺一覧情報を表示装置２０１に表示させる発信可能者名刺一覧表示部２０９と、サーバ１から送信された受信可能者一覧情報を表示装置２０１に表示させる受信可能者名刺一覧表示部２１０と、電子メールを作成してサーバ１に送信するとともにサーバ１から送信される電子メールを表示装置２０１に表示させるメール機能部２１１と、サーバ１に対して発信あるいは着信して音声通話を可能とする電話機能部２１２と、無線基地局３との間で所定の通信プロトコルにより通信することにより音声通話と電子メールの送受信を可能とする通信装置２１３と、利用者端末２の製造時に製造シリアルナンバが名刺ＩＤとして保存された個人情報保存装置２１４を備える。
【００５０】
本実施の形態では、通信許可されていない相手に対しての電子メール自体を作成できないようになっているので、サーバ１のメールサーバ機能部１０９は電子メールを必ず相手の利用者端末２に送信してよいし、利用者端末２のメール機能部２１１はサーバ１から送信される電子メールを必ず受信して表示装置２０１に表示させてよい。すなわち、メールサーバ機能部１０９やメール機能部２１１には、いわゆる受信拒否設定の機能は不要である。
【００５１】
次に、本実施の形態における動作を説明する。
【００５２】
[メニュー表示及び選択]
図５は、利用者端末２に開始操作が行われたときのフローチャートである。
【００５３】
利用者端末２の入力装置２０２に開始操作（場合によっては電源投入）が行われると、入力装置２０２はメニュー表示部２０５に開始要求を行う。開始要求を受けたメニュー表示部２０５は、複数の選択項目（「名刺作成・登録」、「名刺一覧表示」、「通信許可」、「メール・携帯電話発信」、「通信許可取消」）を含むメニュー情報を表示装置２０１に送信する（ステップＳ１）。表示装置２０１は、メニュー表示部２０５からメニュー情報を受信し表示する（ステップＳ３）。
【００５４】
図６は、ステップＳ３の際の表示画面を示す図である。
【００５５】
この利用者端末２の利用者は、サービスの利用に先立ち自分の名刺情報をサーバ１に登録したいときは入力装置２０２に対し「名刺作成・登録」を選択する選択操作を行う。
【００５６】
サーバ１に登録されている利用者すべての名刺情報の一覧と各利用者に通信許可依頼を行うときに操作される通信許可依頼ボタンを表示させたいときは入力装置２０２に対し「名刺一覧表示」を選択する選択操作を行う。
【００５７】
この利用者に対する通信を許可するように依頼する利用者（通信許可依頼者という）の名刺情報の一覧と各利用者に通信を許可する際に操作される通信許可ボタンを表示させたいときは「通信許可」を選択する選択操作を行う。
【００５８】
この利用者が発信すると他の利用者が着信するという通信許可により通信可能となった当該他の利用者（着信可能者）の名刺情報の一覧と各利用者へ電子メールを送信する際に操作される電子メールボタンや音声通信する際に操作される電話ボタンを表示させたいときは入力装置２０２に対し「メール・携帯電話発信」を選択する選択操作を行う。
【００５９】
他の利用者が発信するとこの利用者が着信するという通信許可により通信可能となった他の利用者（発信可能者という）の名刺情報の一覧と各利用者からの通信の許可を取り消す際に操作される通信許可取消ボタンを表示させたいときは入力装置２０２に対し「通信許可取消」を選択する選択操作を行う。
【００６０】
このようにして、いずれかの選択項目を選択する選択操作が行われると入力装置２０２は該選択された選択項目をメニュー表示部２０５に送信する（ステップＳ５）。メニュー表示部２０５は、入力装置２０２から送信された選択項目を受信する（ステップＳ７）。
【００６１】
メニュー表示部２０５は、選択項目「名刺作成・登録」を受信したときは名刺作成部２０６に、選択項目「名刺一覧表示」を受信したときは名刺一覧表示部２０７に、選択項目「通信許可」を受信したときは通信許可依頼者名刺一覧表示部２０８に、選択項目「メール・携帯電話発信」を受信したときは受信可能者名刺一覧表示部２１０に、選択項目「通信許可取消」を受信したときは発信可能者名刺一覧表示部２０９に、それぞれ処理の開始要求を送信する（ステップＳ９）。
【００６２】
なお、所定の終了操作により利用者端末２は図５の処理を終える。それにより利用者端末２は携帯電話番号の操作入力による電話発信や電子メールアドレスの操作入力による電子メール送信が行えるようになる。
【００６３】
以上のように、利用者端末２に対する開始操作等が行われたときの処理がなされる。
【００６４】
「名刺作成・登録」
図７は、名刺作成部２０６が処理の開始要求を受信したときのフローチャートである。
【００６５】
メニュー表示部２０５から処理の開始要求を受信した名刺作成部２０６は、名刺情報を作成するための名刺作成画面情報を表示装置２０１に送信する（ステップＳ２１）。表示装置２０１は、名刺作成部２０６から受信した名刺作成画面情報を表示する（ステップＳ２３）。
【００６６】
この利用者端末２の利用者は入力装置２０２に対し、この利用者の利用者ハンドル名、当該利用者の利用者端末２に割り当てられた携帯電話番号及び電子メールアドレス、公開情報を入力する入力操作を行う。入力装置２０２は、利用者ハンドル名、携帯電話番号、電子メールアドレス及び公開情報を名刺作成部２０６に送信する（ステップＳ２５）。名刺作成部２０６は、利用者ハンドル名、携帯電話番号、電子メールアドレス及び公開情報を受信する（ステップＳ２７）。名刺作成部２０６は、個人情報保存装置２１４から名刺ＩＤを読み出す（ステップＳ２９）。名刺作成部２０６は、読み出した名刺ＩＤ、並びに受信した利用者ハンドル名、携帯電話番号、電子メールアドレス及び公開情報を、通信装置２１３を介してサーバ１に送信する（ステップＳ３１）。
【００６７】
サーバ１の名刺情報登録部１０１は、通信装置１１４を介して、名刺ＩＤ、利用者ハンドル名、携帯電話番号、電子メールアドレス及び公開情報を受信し保持する（ステップＳ３３）。名刺情報登録部１０１は、名刺管理テーブル１１１から、受信して保持した名刺ＩＤを含む名刺情報を検索する（ステップＳ３５）。当該条件の名刺情報が検索できたか否かを判定し（ステップＳ３７）、検索できなかったときは、送信された名刺ＩＤ、利用者ハンドル名、携帯電話番号、電子メールアドレス及び公開情報を含む名刺情報を新たに生成し名刺管理テーブル１１１に格納する（ステップＳ３９）。一方、検索できたときは、検索された名刺情報の利用者ハンドル名、携帯電話番号、電子メールアドレス及び公開情報を送信されたもので更新する（ステップＳ４１）。
【００６８】
ステップＳ３９またはＳ４１を終えると、名刺情報登録部１０１は、名刺管理テーブル１１１に新たに格納されたまたは更新された名刺情報を通信装置１１４を介して利用者端末２に送信する（ステップＳ４３）。
【００６９】
利用者端末２の名刺作成部２０６は、通信装置２１３を介して名刺情報を受信し個人情報保存装置２１４に格納する（ステップＳ４５）。最後に名刺作成部２０６は、メニュー表示部２０５に対し、ステップＳ１以降の処理の開始要求を行って処理を終える。
【００７０】
「名刺一覧表示」
図８は、名刺一覧表示部２０７が処理の開始要求を受信したときのフローチャートである。
【００７１】
メニュー表示部２０５から処理の開始要求を受信した名刺一覧表示部２０７は、個人情報保存装置２１４から名刺ＩＤを読み出し保持する（ステップＳ５１）。名刺一覧表示部２０７は、読み出した名刺ＩＤを発信者名刺ＩＤとし、該発信者名刺ＩＤを名刺一覧情報という情報を要求する作成要求とともにサーバ１に送信する（ステップＳ５３）。
【００７２】
サーバ１の名刺一覧作成部１０２は、発信者名刺ＩＤと、名刺一覧情報の作成要求を受信し保持する（ステップＳ５５）。名刺一覧作成部１０２は、名刺管理テーブル１１１から全ての名刺情報を読み出し、さらに、アクセス制御管理テーブル１１２から、ステップＳ５５で保持した発信者名刺ＩＤを含みかつ着信者名刺ＩＤが名刺管理テーブル１１１に名刺ＩＤとして記憶されているアクセス制御情報を読み出す（ステップＳ５７）。名刺一覧作成部１０２は、読み出した各名刺情報と該名刺情報に含まれる名刺ＩＤを着信者名刺ＩＤとして含むアクセス制御情報とを対応づけた名刺一覧情報を生成して利用者端末２に送信する（ステップＳ５９）。なお、もしも１部の名刺情報に対し該当するアクセス制御情報がなければ当該名刺情報についてはアクセス制御情報が対応づけられていない（含まれていない）名刺一覧情報が生成送信される。
【００７３】
利用者端末２の名刺一覧表示部２０７は、サーバ１からの名刺一覧情報を受信する（ステップＳ６１）。名刺一覧表示部２０７は、名刺一覧情報を表示装置２０１に送信する（ステップＳ６３）。表示装置２０１は、表示領域を複数の名刺区画に分割し、各名刺情報を対応する名刺区画内に表示する、いわば名刺風に表示する（ステップＳ６５）。
【００７４】
図９は、ステップＳ６の際の表示画面を示す図である。
【００７５】
一つの名刺区画内を更に詳しく説明する。文字情報「ニックネーム」に続けて利用者ハンドル名を、文字情報「紹介文」に続けて公開情報を表示する。しかしながら、電子メールアドレスと携帯電話番号は表示されないので匿名性が担保できる。
【００７６】
また、電話機アイコンを表示し、当該名刺区画に該当する名刺情報にアクセス制御情報が対応づけられていないかまたは対応づけられていても音声通話ステータスが未設定である場合は当該電話機アイコンの近傍に「通信許可依頼」と表示された通信許可依頼ボタンを表示させる。
【００７７】
また、封筒アイコンを表示し、当該名刺区画に該当する名刺情報にアクセス制御情報が対応づけられていないかまたは対応づけられていても電子メールステータスが未設定である場合は当該封筒アイコンの近傍に通信許可依頼ボタンを表示させる。
【００７８】
さて、この利用者端末２の利用者は、通信許可依頼を行いたいときは入力装置２０２に対し通信許可依頼ボタンを選択する選択操作を行う。
【００７９】
[通信許可依頼]
図１０は、通信許可依頼ボタンの選択操作が行われたときのフローチャートである。
【００８０】
いずれかの通信許可依頼ボタンを選択する選択操作が行われると、入力装置２０２は該選択された通信許可依頼ボタンの含まれる名刺区画に対応する名刺ＩＤと当該選択された通信許可依頼ボタンが電話機アイコン近傍のものか封筒アイコン近傍のものかのいずれかを示す、すなわちいずれかの通信方法を示す通信方法ＩＤを名刺一覧表示部２０７に送信する（ステップＳ７１）。名刺一覧表示部２０７は、名刺ＩＤと通信方法ＩＤを受信し保持する（ステップＳ７３）。名刺一覧表示部２０７は、ステップＳ５１で保持した名刺ＩＤを発信者名刺ＩＤとして、また受信し保持した名刺ＩＤを着信者名刺ＩＤとして、当該発信者名刺ＩＤ及び着信者名刺ＩＤ、ならびに受信した通信方法ＩＤをサーバ１に送信する（ステップＳ７７）。
【００８１】
サーバ１の通信許可依頼受付部１０５は、発信者名刺ＩＤ、着信者名刺ＩＤ及び通信方法ＩＤを受信する（ステップＳ７９）。通信許可依頼受付部１０５は、受信した発信者名刺ＩＤ及び着信者名刺ＩＤを含むアクセス制御情報をアクセス制御管理テーブル１１２から検索する（ステップＳ８１）。当該条件のアクセス制御情報が検索できたか否かを判定する（ステップＳ８３）。
【００８２】
検索できなかったときは、通信許可依頼受付部１０５は、受信した発信者名刺ＩＤ及び着信者名刺ＩＤを含むアクセス制御情報を生成しアクセス制御管理テーブル１１２に格納する（ステップＳ８５）。このとき、受信した通信方法ＩＤが音声通話を示すものであるときは、当該アクセス制御情報の音声通話ステータスを通信許可依頼中に、電子メールステータスを未設定にそれぞれ設定し、一方、受信した通信方法ＩＤが電子メールを示すものであるときは電子メールステータスを通信許可依頼中に、音声通話ステータスを未設定にそれぞれ設定する。
【００８３】
検索できたときは、通信許可依頼受付部１０５は、受信した通信方法ＩＤにより示される電子メールステータスまたは音声通話ステータスを通信許可依頼中に更新する（ステップＳ８７）。具体的には、通信方法ＩＤが音声通話を示すものであるときは音声通話ステータスを通信許可依頼中に更新し、一方、通信方法ＩＤが電子メールを示すものであるときは電子メールステータスを通信許可依頼中に更新する。
【００８４】
ステップＳ８５またはＳ８７を終えると、通信許可依頼受付部１０５は、処理の終了通知を利用者端末２に送信する（ステップＳ８９）。
【００８５】
利用者端末２の名刺一覧表示部２０７は、処理の終了通知を受信する（ステップＳ９１）。名刺一覧表示部２０７は、ステップＳ７３で保持した名刺ＩＤ及び通信方法ＩＤならびに当該名刺ＩＤ及び通信方法ＩＤに対応する通信許可依頼ボタンの削除要求を表示装置２０１に送信する（ステップＳ９３）。表示装置２０１は、送信された名刺ＩＤ及び通信方法ＩＤに対応する通信許可依頼ボタンを削除する（ステップＳ９５）。
【００８６】
なお、さらに通信許可依頼ボタンが選択操作されれば、ステップＳ７１以降の処理が行われる。一方、所定の終了操作により、名刺作成部２０６は、メニュー表示部２０５に対し、ステップＳ１以降の処理の開始要求を行って処理を終える。
【００８７】
「通信許可依頼者名刺一覧表示」
図１１は、通信許可依頼者名刺一覧表示部２０８が処理の開始要求を受信したときのフローチャートである。
【００８８】
メニュー表示部２０５から処理の開始要求を受信した通信許可依頼者名刺一覧表示部２０８は、個人情報保存装置２１４から名刺ＩＤを読み出し保持する（ステップＳ１０１）。通信許可依頼者名刺一覧表示部２０８は、読み出した名刺ＩＤを着信者名刺ＩＤとしてサーバ１に送信する（ステップＳ１０３）。
【００８９】
サーバ１の通信許可依頼者名刺一覧作成部１０３は、着信者名刺ＩＤを受信して保持する（ステップＳ１０５）。通信許可依頼者名刺一覧作成部１０３は、受信した着信者名刺ＩＤを含みかつ電子メールステータスまたは音声通話ステータスが通信許可依頼中であるアクセス制御情報をアクセス制御管理テーブル１１２から検索する（ステップＳ１０７）。通信許可依頼者名刺一覧作成部１０３は、検索したアクセス制御情報の発信者名刺ＩＤを名刺ＩＤとして含む名刺情報を名刺管理テーブル１１１から検索する（ステップＳ１０９）。通信許可依頼者名刺一覧作成部１０３は、読み出した各名刺情報と該名刺情報の名刺ＩＤに含まれる発信者名刺ＩＤとして含むアクセス制御情報とを対応づけた通信許可依頼者名刺一覧情報を生成して利用者端末２に送信する（ステップＳ１１１）。
【００９０】
利用者端末２の通信許可依頼者名刺一覧表示部２０８は、通信許可依頼者名刺一覧情報を受信する（ステップＳ１１３）。通信許可依頼者名刺一覧表示部２０８は、受信した通信許可依頼者名刺一覧情報を表示装置２０１に送信する（ステップＳ１１５）。表示装置２０１は、表示領域を複数の名刺区画に分割し、各名刺情報を対応する名刺区画内に表示する、いわば名刺風に表示する（ステップＳ１１７）。
【００９１】
図１２は、ステップＳ１１７の際の表示画面を示す図である。
【００９２】
一つの名刺区画内を更に詳しく説明する。文字情報「ニックネーム」に続けて利用者ハンドル名を、文字情報「紹介文」に続けて公開情報を表示する。しかしながら、電子メールアドレスと携帯電話番号は表示されないので匿名性が担保できる。
【００９３】
また、電話機アイコンを表示し、当該名刺区画に該当する名刺情報に対応するアクセス制御情報の音声通話ステータスが通信許可依頼中である場合は当該電話機アイコンの近傍に「許可」と表示された許可ボタン並びに「不許可」と表示された不許可ボタンを表示する。
【００９４】
また、封筒アイコンを表示し、当該名刺区画に該当する名刺情報に対応するアクセス制御情報の電子メールステータスが通信許可依頼中である場合は当該封筒アイコンの近傍に許可ボタンと不許可ボタンを表示する。
【００９５】
さて、この利用者端末２の利用者は、通信許可または通信不許可を行いたいときは入力装置２０２に対し許可ボタンまたは不許可ボタンを選択する選択操作を行う。
【００９６】
[通信許可（不許可）]
図１３は、許可ボタンまたは不許可ボタンの選択操作が行われたときのフローチャートである。
【００９７】
いずれかの許可ボタンまたは不許可ボタンを選択する選択操作が行われると入力装置２０２は、該選択された許可ボタンまたは不許可ボタンの含まれる名刺区画に対応する名刺ＩＤと当該選択されたボタンが許可ボタンか不許可ボタンかのいずれかを示すボタンＩＤと当該選択されたボタンが電話機アイコン近傍のものか封筒アイコン近傍のものかのいずれかを示す、すなわちいずれかの通信方法を示す通信方法ＩＤを通信許可依頼者名刺一覧表示部２０８に送信する（ステップＳ１２１）。通信許可依頼者名刺一覧表示部２０８は、送信された名刺ＩＤ、ボタンＩＤ及び通信方法ＩＤを受信し保持する（ステップＳ１２３）。通信許可依頼者名刺一覧表示部２０８は、ステップＳ１０１で保持した名刺ＩＤを着信者名刺ＩＤとして、また受信した名刺ＩＤを発信者名刺ＩＤとして、受信したボタンＩＤ及び通信方法ＩＤとともにサーバ１に送信する（ステップＳ１２７）。
【００９８】
サーバ１の通信許可受付部１０６は、送信された発信者名刺ＩＤ、着信者名刺ＩＤ、ボタンＩＤ及び通信方法ＩＤを受信し保持する（ステップＳ１２９）。通信許可受付部１０６は、保持した発信者名刺ＩＤ及び着信者名刺ＩＤを含むアクセス制御情報をアクセス制御管理テーブル１１２から検索する（ステップＳ１３１）。
【００９９】
また、通信許可受付部１０６は、保持した通信方法ＩＤが音声通話を示すものでかつボタンＩＤが許可ボタンを示すものであるときは、当該アクセス制御情報の音声通話ステータスを通信可能に設定する一方、保持した通信方法ＩＤが電子メールを示すものでかつボタンＩＤが許可ボタンを示すものであるときは、当該アクセス制御情報の電子メールステータスを通信可能に設定する（ステップＳ１３３）。
【０１００】
また、通信許可受付部１０６は、保持した通信方法ＩＤが音声通話を示すものでかつボタンＩＤが不許可ボタンを示すものであるときは、当該アクセス制御情報の音声通話ステータスを通信不可に設定する一方、保持した通信方法ＩＤが電子メールを示すものでかつボタンＩＤが不許可ボタンを示すものであるときは、当該アクセス制御情報の電子メールステータスを通信不可に設定する（ステップＳ１３４）。
【０１０１】
ステップＳ１３４を終えると、通信許可受付部１０６は、処理の終了通知を利用者端末２に送信する（ステップＳ１３５）。
【０１０２】
利用者端末２の通信許可依頼者名刺一覧表示部２０８は、処理の終了通知を受信する（ステップＳ１３７）。
【０１０３】
通信許可依頼者名刺一覧表示部２０８は、ステップＳ１２３で保持した名刺ＩＤ及び通信方法ＩＤならびに当該名刺ＩＤ及び通信方法ＩＤに対応する許可ボタン及び不許可ボタンの削除要求を表示装置２０１に送信する（ステップＳ１３９）。表示装置２０１は、送信された名刺ＩＤ及び通信方法ＩＤに対応する許可ボタン及び不許可ボタンを削除する（ステップＳ１４１）。
【０１０４】
なお、さらに通信許可ボタンまたは不許可が選択操作されれば、ステップＳ１２１以降の処理が行われる。一方、所定の終了操作により、通信許可依頼者名刺一覧表示部２０８は、メニュー表示部２０５に対し、ステップＳ１以降の処理の開始要求を行って処理を終える。
【０１０５】
「受信可能者名刺一覧表示」
図１４は、受信可能者名刺一覧表示部２１０が処理の開始要求を受信したときのフローチャートである。
【０１０６】
メニュー表示部２０５から処理の開始要求を受信した受信可能者名刺一覧表示部２１０は、個人情報保存装置２１４から名刺ＩＤを読み出し保持する（ステップＳ１５１）。受信可能者名刺一覧表示部２１０は、読み出した名刺ＩＤを発信者名刺ＩＤとし、受信可能者名刺一覧情報という情報を要求する作成要求とともにサーバ１に送信する（ステップＳ１５３）。
【０１０７】
サーバ１の受信可能者名刺一覧作成部１０７は、発信者名刺ＩＤと、受信可能者名刺一覧情報の作成要求を受信し保持する（ステップＳ１５５）。受信可能者名刺一覧作成部１０７は、アクセス制御管理テーブル１１２から、ステップＳ１５５で保持した発信者名刺ＩＤを含みかつ、音声通話ステータスと電子メールステータスのいずれかが通信可能であるアクセス制御情報を読み出す（ステップＳ１５７）。受信可能者名刺一覧作成部１０７は、名刺管理テーブル１１１から、読み出したアクセス制御情報に含まれた各着信者名刺ＩＤを名刺ＩＤとして含む名刺情報を読み出す（ステップＳ１５９）。受信可能者名刺一覧作成部１０７は、読み出した各名刺情報と該名刺情報に含まれる名刺ＩＤを着信者名刺ＩＤとして含むアクセス制御情報とを対応づけた受信可能者名刺一覧情報を生成して利用者端末２に送信する（ステップＳ１６１）。
【０１０８】
利用者端末２の受信可能者名刺一覧表示部２１０は、サーバ１からの受信可能者名刺一覧情報を受信し保持する（ステップＳ１６３）。受信可能者名刺一覧表示部２１０は、受信可能者名刺一覧情報を表示装置２０１に送信する（ステップＳ１６５）。表示装置２０１は、表示領域を複数の名刺区画に分割し、各名刺情報を対応する名刺区画内に表示する、いわば名刺風に表示する（ステップＳ１６７）。
【０１０９】
図１５は、ステップＳ１６７の際の表示画面を示す図である。
【０１１０】
一つの名刺区画内を更に詳しく説明する。文字情報「ニックネーム」に続けて利用者ハンドル名を、文字情報「紹介文」に続けて公開情報を表示する。しかしながら、電子メールアドレスと携帯電話番号は表示されないので匿名性が担保できる。
【０１１１】
また、電話機アイコンを表示し、当該名刺区画に該当する名刺情報に対応するアクセス制御情報の音声通話ステータスが通信可能である場合は当該電話機アイコンの近傍に「電話する」と表示された電話ボタンを表示する。
【０１１２】
また、封筒アイコンを表示し、当該名刺区画に該当する名刺情報に対応するアクセス制御情報の電子メールステータスが通信可能である場合は当該封筒アイコンの近傍に「メールを書く」と表示された電子メールボタンを表示する。
【０１１３】
さて、この利用者端末２の利用者は、電話発信または電子メールの送信を行いたいときは、入力装置２０２に対し電話ボタンまたは電子メールボタンを選択する選択操作を行う。
【０１１４】
[メール・携帯電話発信]
図１６は、電話ボタンまたは電子メールボタンが選択操作されたときのフローチャートである。
【０１１５】
いずれかの電話ボタンまたは電子メールボタンを選択する選択操作が行われると入力装置２０２は該選択されたボタンの含まれる名刺区画に対応する名刺ＩＤと当該選択されたボタンに対応する通信方法を示す通信方法ＩＤを受信可能者名刺一覧表示部２１０に送信する（ステップＳ１７１）。受信可能者名刺一覧表示部２１０は、名刺ＩＤと通信方法ＩＤを受信する（ステップＳ１７３）。受信可能者名刺一覧表示部２１０は、受信した通信方法ＩＤを判定する（ステップＳ１７５）。
【０１１６】
[音声通信]
受信可能者名刺一覧表示部２１０は、受信した通信方法ＩＤが音声通話を示すものであるときは、ステップＳ１６３で保持した受信可能者名刺一覧情報から、受信した名刺ＩＤとともに名刺情報に含まれた携帯電話番号を読み出し、電話機能部２１２に送信する（ステップＳ１７７）。電話機能部２１２は、受信した携帯電話番号をサーバ１の電話交換機能部１１０に転送して処理を要求する（ステップＳ１７９：発信）。電話交換機能部１１０は、携帯電話番号を受信し、該携帯電話番号を割り当てられた着側の利用者端末２に対して音声通話の着信が要求されていることを当該利用者端末２へ通知する（ステップＳ１８１）。利用者端末２は、サーバ１からの通知を受信及び表示し、該表示中おける入力装置２０２に対して、着信の操作がなされると、利用者端末２は、着信の操作がされたことをサーバ１に通知する（ステップＳ１８３）。サーバ１の電話交換機能部１１０は、着側の利用者端末２からの通知を受信すると、発側の利用者端末２の電話機能部２１２と着側の電話機能部２１２とを接続して通話可能な状態にさせ、どちらか一方から通話切断の通知を受信するまで通話可能な状態を維持する（ステップＳ１８５）。
【０１１７】
なお、どちらか一方から通話切断の通知を受信したときは処理を終了する。
【０１１８】
[電子メール]
一方で、受信可能者名刺一覧表示部２１０は、受信した通信方法ＩＤが電子メールを示すものであるときは、ステップＳ１６３で保持した受信可能者名刺一覧情報から、受信した名刺ＩＤとともに名刺情報に含まれた電子メールアドレスを読み出し、当該名刺ＩＤとともにメール機能部２１１に送信する（ステップＳ１９１）。メール機能部２１１は、名刺ＩＤと電子メールアドレスを受信し保持すると、受信した電子メールアドレスを宛先としただけの未完成の電子メールを表示装置２０１に送信する（ステップＳ１９３）。表示装置２０１は、未完成の電子メールを受信し表示する（ステップＳ１９５）。この利用者端末２の利用者が入力装置２０２へ、タイトルと本文の入力操作を行い入力操作の終了操作を行うと、入力装置２０２はタイトルと本文をメール機能部２１１に送信する（ステップＳ１９７）。メール機能部２１１は、タイトルと本文を受信し、該タイトルと本文並びに、ステップＳ１５１で保持した名刺ＩＤ及び電子メールアドレスにより電子メールを完成させ、該電子メールをサーバ１のメールサーバ機能部１０９に送信する（ステップＳ１９９）。メールサーバ機能部１０９は、電子メールを受信するとともに、メール保存装置１１３から、当該受信した電子メールにおける宛先の電子メールアドレスに対応するメールボックスを選択し、当該メールボックスに当該受信した電子メールを格納する（ステップＳ２０１）。
【０１１９】
なお、メールサーバ機能部１０９は、メール保存装置１１３に格納した電子メールに対応するものとして予め記憶したパスワードが利用者端末２から送信されると、当該電子メールアドレスを読み出して当該利用者端末２に送信する。
【０１２０】
なお、さらに電話ボタンまたは電子メールボタンが選択操作されれば、ステップＳ１７１以降の処理が行わる。一方、所定の終了操作により、受信可能者名刺一覧表示部２１０は、メニュー表示部２０５に対し、ステップＳ１以降の処理の開始要求を行って処理を終える。
【０１２１】
「発信可能名刺一覧表示」
図１７は、発信可能者名刺一覧表示部２０９が処理の開始要求を受信したときのフローチャートである。
【０１２２】
メニュー表示部２０５から処理の開始要求を受信した発信可能者名刺一覧表示部２０９は、個人情報保存装置２１４から名刺ＩＤを読み出し保持する（ステップＳ２１１）。発信可能者名刺一覧表示部２０９は、読み出した名刺ＩＤを着信者名刺ＩＤとし、発信可能者名刺一覧情報という情報を要求する作成要求とともにサーバ１に送信する（ステップＳ２１３）。
【０１２３】
サーバ１の発信可能者名刺一覧作成部１０４は、着信者名刺ＩＤと、発信可能者名刺一覧情報の作成要求を受信し保持する（ステップＳ２１５）。発信可能者名刺一覧作成部１０４は、アクセス制御管理テーブル１１２から、ステップＳ２１５で保持した着信者名刺ＩＤを含みかつ、音声通話ステータスと電子メールステータスのいずれかが通信可能であるアクセス制御情報を読み出す（ステップＳ２１７）。
【０１２４】
発信可能者名刺一覧作成部１０４は、名刺管理テーブル１１１から、読み出したアクセス制御情報に含まれた各発信者名刺ＩＤを名刺ＩＤとして含む名刺情報を読み出す（ステップＳ２１９）。読み出した各名刺情報と該名刺情報に含まれる名刺ＩＤを発信者名刺ＩＤとして含むアクセス制御情報とを対応づけた発信可能者名刺一覧情報を生成して利用者端末２に送信する（ステップＳ２２１）。
【０１２５】
利用者端末２の発信可能者名刺一覧表示部２０９は、サーバ１からの発信可能者名刺一覧情報を受信し保持する（ステップＳ２２３）。発信可能者名刺一覧表示部２０９は、発信可能者名刺一覧情報を表示装置２０１に送信する（ステップＳ２２５）。表示装置２０１は、表示領域を複数の名刺区画に分割し、各名刺情報を対応する名刺区画内に表示する、いわば名刺風に表示する（ステップＳ２２７）。
【０１２６】
図１８は、ステップＳ２２７の際の表示画面を示す図である。
【０１２７】
一つの名刺区画内を更に詳しく説明する。文字情報「ニックネーム」に続けて利用者ハンドル名を、文字情報「紹介文」に続けて公開情報を表示する。しかしながら、電子メールアドレスと携帯電話番号は表示されないので匿名性が担保できる。
【０１２８】
また、電話機アイコンを表示し、当該名刺区画に該当する名刺情報に対応するアクセス制御情報の音声通話ステータスが通信可能である場合は当該電話機アイコンの近傍に「通信許可取消」と表示された通信許可取消ボタンを表示する。
【０１２９】
また、封筒アイコンを表示し、当該名刺区画に該当する名刺情報に対応するアクセス制御情報の電子メールステータスが通信可能である場合は当該封筒アイコンの近傍に通信許可取消ボタンを表示する。
【０１３０】
さて、この利用者端末２の利用者は、通信許可の取消を行いたいときは入力装置２０２に対し通信許可取消ボタンを選択する選択操作を行う。
【０１３１】
[通信許可取消]
図１９は、通信許可取消ボタンが選択操作されたときのフローチャートである。
【０１３２】
いずれかの通信許可取消ボタンを選択する選択操作が行われると入力装置２０２は該選択された通信許可取消ボタンの含まれる名刺区画に対応する名刺ＩＤと当該選択された通信許可取消ボタンが電話機アイコン近傍のものか封筒アイコン近傍のものかのいずれかを示す、すなわちいずれかの通信方法を示す通信方法ＩＤを発信可能者名刺一覧表示部２０９に送信する（ステップＳ２３１）。発信可能者名刺一覧表示部２０９は、名刺ＩＤと通信方法ＩＤを受信し保持する（ステップＳ２３３）。発信可能者名刺一覧表示部２０９は、ステップＳ２１１で保持した名刺ＩＤを着信者名刺ＩＤとし、また受信し保持した名刺ＩＤを発信者名刺ＩＤとし、受信した通信方法ＩＤとともにサーバ１に送信する（ステップＳ２３５）。
【０１３３】
サーバ１の通信許可取消部１０８は、送信された発信者名刺ＩＤ、着信者名刺ＩＤ及び通信方法ＩＤを受信し保持する（ステップＳ２３７）。通信許可取消部１０８は、保持した発信者名刺ＩＤ及び着信者名刺ＩＤを含むアクセス制御情報をアクセス制御管理テーブル１１２から検索する（ステップＳ２３９）。また、通信許可取消部１０８は、保持した通信方法ＩＤが音声通話を示すものであるときは、当該アクセス制御情報の音声通話ステータスを通信不可に設定する一方、保持した通信方法ＩＤが電子メールを示すものであるときは、当該アクセス制御情報の電子メールステータスを通信不可に設定する（ステップＳ２４１）。
【０１３４】
ステップＳ２４１を終えると、通信許可取消部１０８、処理の終了通知を利用者端末２に送信する（ステップＳ２４３）。
【０１３５】
利用者端末２の発信可能者名刺一覧表示部２０９は、処理の終了通知を受信する（ステップＳ２４５）。
【０１３６】
発信可能者名刺一覧表示部２０９は、ステップＳ２３３で保持した名刺ＩＤ（着）及び通信方法ＩＤならびに当該名刺ＩＤ及び通信方法ＩＤに対応する通信許可取消ボタンの削除要求を表示装置２０１に送信する（ステップＳ２４７）。表示装置２０１は、送信された名刺ＩＤ及び通信方法ＩＤに対応する通信許可取消ボタンを削除する（ステップＳ２４９）。
【０１３７】
なお、さらに通信許可取消ボタンが選択操作されれば、ステップＳ２３１以降の処理が行われる。一方、所定の終了操作により、発信可能者名刺一覧表示部２０９は、メニュー表示部２０５に対し、ステップＳ１以降の処理の開始要求を行って処理を終える。
【０１３８】
以上説明したように、本実施の形態にあっては、利用者端末が利用者をサーバに通知し、サーバが、通知された利用者が複数の通信方法の中のいずれかの通信方法と通信相手とを指定して予め求めた通信依頼を許可したことで受信可能となった受信可能者と当該受信可能者を当該通信時に特定する受信可能者通信時特定情報（電子メールアドレスや携帯電話番号）とを利用者端末に通知し、利用者端末がサーバから通知された受信可能者通信時特定情報を表示しないで受信可能者を示す情報（利用者ハンドル名や公開情報）を表示手段に表示させ、利用者端末が表示された受信可能者の情報を指定する操作（ボタン操作）が入力手段になされたときに通信許可者特定情報を用いて発信するので、指定された通信方法でしかも電子メールアドレスや電話番号などを秘匿したまま通信を行うことができる。したがって利用者の匿名性が確保できる。また、通信依頼を許可したことで受信可能になった受信可能者の情報が表示され電子メールアドレスや電話番号などが表示されないので、迷惑電話の着信や迷惑メールの受信を防止できる。
【０１３９】
また、通信依頼に際して、利用者端末が複数の通信方法を表示手段に表示させ、該表示されたいずれかの通信方法と通信相手とを指定する操作が入力手段になされたときに当該指定された通信方法と通信相手とをサーバに通知することを通信依頼として行い、サーバが利用者端末の利用者を通信依頼者として管理し、通知された通信相手からの要求により当該管理された通信依頼者を通知するので、当該通信相手は通信許可を行うことができる。
【０１４０】
また、通信許可に際して、利用者端末が利用者をサーバに通知し、サーバが、通知された利用者を通信相手としてかつ複数の通信方法の中のいずれかの通信方法を指定して予め通信依頼を行った通信依頼者を利用者端末に通知し、利用者端末がサーバから通知された通信依頼者を示す情報を表示手段に表示させ、該表示された情報を指定する操作が入力手段になされたときに当該通信依頼者をサーバに通知することを通信許可として行うので、サーバは当該通信依頼者を通信相手に通知することができる。
【０１４１】
また、通信許可の取消に際して、利用者端末が利用者をサーバに通知し、サーバが、通知された利用者を通信相手としてかつ複数の通信方法の中のいずれかの通信方法を指定して予め通信依頼を行い当該利用者が許可したことにより発信可能となった発信可能者を利用者端末に通知し、利用者端末がサーバから通知された発信可能者を示す情報を表示手段に表示させ、該表示された情報を指定する操作が入力手段になされたときに当該発信可能者をサーバに通知することを通信許可の取消として行い、サーバが通知された発信可能者を発信可能者としてででなく管理するので、当該発信可能者からの通信を再び拒否することができる。
【０１４２】
なお、上記説明したサーバ１や利用者端末２としてコンピュータを機能させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【０１４３】
【図１】本発明が実施されるネットワークシステムの構成を示す図である。
【図２】サーバ１の構成を示す図である。
【図３】図３（ａ）は、名刺管理テーブル１１１を、図３（ｂ）は、アクセス制御管理テーブル１１２を、図３（ｃ）は、アクセス制御管理テーブル１１２における各ステータスの遷移をそれぞれ示す図である。
【図４】利用者端末２の構成を示す図である。
【図５】利用者端末２に開始操作が行われたときのフローチャートである。
【図６】ステップＳ３の際の表示画面を示す図である。
【図７】名刺作成部２０６が処理の開始要求を受信したときのフローチャートである。
【図８】名刺一覧表示部２０７が処理の開始要求を受信したときのフローチャートである。
【図９】ステップＳ６の際の表示画面を示す図である。
【図１０】通信許可依頼ボタンの選択操作が行われたときのフローチャートである。
【図１１】通信許可依頼者名刺一覧表示部２０８が処理の開始要求を受信したときのフローチャートである。
【図１２】ステップＳ１１７の際の表示画面を示す図である。
【図１３】許可ボタンまたは不許可ボタンの選択操作が行われたときのフローチャートである。
【図１４】受信可能者名刺一覧表示部２１０が処理の開始要求を受信したときのフローチャートである。
【図１５】ステップＳ１６７の際の表示画面を示す図である。
【図１６】電話ボタンまたは電子メールボタンが選択操作されたときのフローチャートである。
【図１７】発信可能者名刺一覧表示部２０９が処理の開始要求を受信したときのフローチャートである。
【図１８】ステップＳ２２７の際の表示画面を示す図である。
【図１９】通信許可取消ボタンが選択操作されたときのフローチャートである。
【符号の説明】
【０１４４】
１…サーバ
２…利用者端末
３…無線基地局
１０１…名刺情報登録部
１０２…名刺一覧作成部
１０３…通信許可依頼者名刺一覧作成部
１０４…発信可能者名刺一覧作成部
１０５…通信許可依頼受付部
１０６…通信許可受付部
１０７…受信可能者名刺一覧作成部
１０８…通信許可取消部
１０９…メールサーバ機能部
１１０…電話交換機能部
１１１…名刺管理テーブル
１１２…アクセス制御管理テーブル
１１３…メール保存装置
１１４…通信装置
２０１…表示装置
２０２…入力装置
２０３…マイク
２０４…スピーカ
２０５…メニュー表示部
２０６…名刺作成部
２０７…名刺一覧表示部
２０８…通信許可依頼者名刺一覧表示部
２０９…発信可能者名刺一覧表示部
２１０…受信可能者名刺一覧表示部
２１１…メール機能部
２１２…電話機能部
２１３…通信装置
２１４…個人情報保存装置
【図１】
2005078513.tif 000003
【図２】
2005078513.tif 000004
【図３】
2005078513.tif 000005
【図４】
2005078513.tif 000006
【図５】
2005078513.tif 000007
【図６】
2005078513.tif 000008
【図７】
2005078513.tif 000009
【図８】
2005078513.tif 000010
【図９】
2005078513.tif 000011
【図１０】
2005078513.tif 000012
【図１１】
2005078513.tif 000013
【図１２】
2005078513.tif 000014
【図１３】
2005078513.tif 000015
【図１４】
2005078513.tif 000016
【図１５】
2005078513.tif 000017
【図１６】
2005078513.tif 000018
【図１７】
2005078513.tif 000019
【図１８】
2005078513.tif 000020
【図１９】
2005078513.tif 000021